(57)【要約】      （修正有）【課題】光学素子の近傍にシャッター装置がある構成において点灯中の光学素子が温度上昇しない方法の提供。【解決手段】光学素子に隣接して配置され調光および遮光機能を有するシャッター機構５９と、該光学素子に空気を導風する導風路と、を有する投射型表示装置において、前記シャッター機構５９は導風部を有すると共に、開口時と閉口時の２種類の状態を選択可能にする開口部を備え、該導風部は開口時と閉口時の位置が異なり、開口時の方が前記導風路へ該導風部が侵入する範囲が大きく、開口時には、前記導風路と該導風部と該開口部の開口を通り前記光学素子へ送風する第１の流路と、前記導風路と該導風部を通り前記光学素子へ送風する第２の流路とを有し、閉口時には該第２の流路のみ空気が導風される。【選択図】図４
2014202870.tif 000002
【特許請求の範囲】
【請求項１】
光源と、
該光源から出射した光を変調する画像表示素子と、
該画像表示素子にて変調した光を投射する投射レンズと、
該光源と該投射レンズの間に備えられ該光源から出射された光の光学特性を変化する光学素子と、
該光学素子に隣接して配置され調光および遮光機能を有するシャッター機構と、
該光学素子に空気を導風する導風路と、
を有する投射型表示装置において、
前記シャッター機構は導風部を有すると共に、
開口時と閉口時の２種類の状態を選択可能にする開口部を備え、
該導風部は開口時と閉口時の位置が異なり、
開口時の方が前記導風路へ該導風部が侵入する範囲が大きく、
開口時には、
前記導風路と該導風部と該開口部の開口を通り前記光学素子へ送風する第１の流路と、
前記導風路と該導風部を通り前記光学素子へ送風する第２の流路とを有し、
閉口時には、
該第２の流路のみ空気が導風されること
を特徴とする投射型表示装置。
【請求項２】
前記シャッター機構が閉口している状態で、前記導風手段は前記光学素子と前記シャッター機構の間に空気が流れることを特徴とする請求項１に記載の投射型表示装置。
【請求項３】
前記シャッター機構のシャッター部を有し、該シャッター部は前記光源から出射した光に直交して配置されると共に、前記導風部は前記光学素子と平行或いは垂直以外の所定の角度を有することを特徴とする請求項１または請求項２に記載の投射型表示装置。
【請求項４】
前記シャッター機構はシャッター駆動部を有すると共に前記送風手段の吸気側が該シャッター駆動部を冷却することを特徴とする請求項１乃至請求項３の何れか１項に記載の投射型表示装置。
【請求項５】
前記シャッター機構が閉口時には開口時に比べ前記光源の出力が小さくなることを特徴とする請求項１乃至請求項４の何れか１項に記載の投射型表示装置。
【請求項６】
前記シャッター機構に一体的に前記導風形状を備えることを特徴とする請求項１乃至請求項５の何れか１項に記載の投射型表示装置。
【請求項７】
前記送風手段はシロッコファンであることを特徴とする請求項１乃至請求項６の何れか１項に記載の投射型表示装置。
【請求項８】
前記導風手段の一部は前記光源への冷却風を導風する第３の流路を備えることを特徴とする請求項１乃至請求項７の何れか１項に記載の投射型表示装置。
【発明の詳細な説明】
【技術分野】
【０００１】
本発明は、光源からの光を液晶パネル等の表示部を通してスクリーンに拡大投射するプロジェクタ装置の如く画像投影装置に関し、特に光学素子の冷却効率を上げ、長寿命・画質向上の実現に関するものである。
【背景技術】
【０００２】
近年、液晶プロジェクタに代表される投写型表示装置は急速に需要拡大している。また、需要の拡大に伴い用途も多様化している。例えば、光路中にシャッター機構を備えて投影中にシャッター部分が光路中に入ることで投影画像を遮断する使用形態がある。これによって点灯中に瞬時に画像の投影を止めることができる。例えばプレゼンテーション後の発表者が聴講者に向かって質疑応答する際に聴講者側にプロジェクタがある場合に、投影光によって発表者が眩しさを感じないように瞬時に投影光を遮断できる。また、投影を再開する場合でも瞬時に投影を再始動することができる。
【０００３】
さらに、光路中に絞り機構を備えて投影中に絞り機構を動作して投影光の照度を調整したり、コントラストを調節する投影方法がある。これによって点灯中の投影画像に応じて明暗が際立つ品位の高い画像を提供することができる。
【０００４】
これらシャッター機構や絞り機構はプロジェクタの光路中の照明光学系に配置されることがある。照明光学系の中には光の偏光方向を揃える偏光変換素子が備えられることが多くある。偏光変換素子は偏光を変換する部分に用いるフィルムに有機材料が用いられることがあり、有機材料は温度によって時間経過によって劣化することが一般的に知られている。そのため長時間安定した品質で使用するためには偏光変換素子を冷却する必要がある。冷却方法は光学素子に向かって筐体外から取り込んだ空気をファンによって光学素子付近に流して冷却する方法が一般的である。但し、ファンは駆動時に音を発生する。発生した騒音が大きいとプロジェクタを使用する際に品位を下げてしまう。そのためプロジェクタは低騒音であることが求められる。
【０００５】
上記より、シャッター機構や絞り機構をプロジェクタの光路中の照明光学系、特に偏光変換素子のように冷却が必要な光学素子に近接して配置する場合には、より効率良く冷却する必要がある。
【０００６】
上記の課題を解決する方法として特許文献１に開示されているような構成が提案されている。
【０００７】
特許文献１に示すように、投射時は光学素子に対して並行、消灯時にシャッターの一端に設けた風向変更部が移動することにより、光学素子を正面から冷却し清掃もする。詳細にはシャッター装置はシャッタドアの風上側の一端に、冷却空気の流れを光学部品の光透過面の方向に変更する風向変更部を一体的に有し、オートクーリング時に風向変更部により冷却空気を光学部品の光透過面へ吹きつけるように構成されている。
【先行技術文献】
【特許文献】
【０００８】
【特許文献１】特開２０１１−１４１３９５号公報
【発明の概要】
【発明が解決しようとする課題】
【０００９】
しかしながらこの構成では点灯中において光学素子に対して平行に空気が流れる。平行に流れる部分にシャッタドアの開口があるため、シャッタドアの開口部分については明確な流路が構成されていないため空気が光学素子から離れていく方向に流れてしまい効率良く冷却できない。尚、光学素子には光源から出射した光の偏光方向を揃えたり、特定の波長の光の偏光方向を返還する特性を備えることが多く、その場合光学素子には有機材料で構成されたフィルムを一体的に構成している。有機材料は熱によって劣化することが一般的に知られており、長期に渡って安定した性能を保つために冷却が必要なる。つまり点灯中に効率良く光学素子を冷却が求められており、特許文献１の構成では点灯中に効率よく光学素子を冷却することができない。
【００１０】
そこで、本発明の目的は、光学素子の近傍にシャッター装置がある構成において点灯中において光学素子の高効率な冷却を実現し寿命や画質向上に関するものである。
【課題を解決するための手段】
【００１１】
上記課題を達成するために、本発明は、
光源と、
該光源から出射した光を変調する画像表示素子と、
該画像表示素子にて変調した光を投射する投射レンズと、
該光源と該投射レンズの間に備えられ該光源から出射された光の光学特性を変化する光学素子と、
該光学素子に隣接して配置され調光および遮光機能を有するシャッター機構と、
該光学素子に空気を導風する導風路と、
を有する投射型表示装置において、
前記シャッター機構は導風部を有すると共に、
開口時と閉口時の２種類の状態を選択可能にする開口部を備え、
該導風部は開口時と閉口時の位置が異なり、
開口時の方が前記導風路へ該導風部が侵入する範囲が大きく、
開口時には、
前記導風路と該導風部と該開口部の開口を通り前記光学素子へ送風する第１の流路と、
前記導風路と該導風部を通り前記光学素子へ送風する第２の流路とを有し、
閉口時には
該第２の流路のみ空気が導風されることを特徴とする。
【００１２】
また、前記シャッター機構が閉口している状態において、前記導風手段は前記光学素子と前記シャッター機構の間に空気が流れることを特徴とする。
【００１３】
また、前記シャッター機構のシャッター部を有し、該シャッター部は前記光源から出射した光に直交して配置されると共に、前記導風部は前記光学素子と平行或いは垂直以外の所定の角度を有することを特徴とする。
【００１４】
また、前記シャッター機構はシャッター駆動部を有すると共に前記送風手段の吸気側が該シャッター駆動部を冷却することを特徴とする。
【００１５】
また、前記シャッター機構が閉口時には開口時に比べ前記光源の出力が小さくなることを特徴とする。
【００１６】
また、前記シャッター機構に一体的に前記導風形状を備えることを特徴とする。
【００１７】
また、前記送風手段はシロッコファンであることを特徴とする。
【００１８】
また、前記導風手段の一部は前記光源への冷却風を導風する第３の流路を備えることを特徴とする。
【発明の効果】
【００１９】
本発明によれば、光学素子の温度が最も高くなる点灯中においてシャッター機構の開口部から光学素子に向かって明確な流路を備えることで、光学素子部分に確実に空気が流れ効率良く冷却することができ低騒音かつ長寿命化を実現することができる。シャッター機構が閉じている場合には開口部から送風していた空気をシャッター機構と光学素子の間に送風することで閉口時でも光学素子を効率よく冷却することができ低騒音かつ長寿命化を実現することができる。
【００２０】
また、導風手段の角度を光学素子に対して平行或いは垂直以外の所定の角度を備えることで、送風方向を変換する際に発生する流路抵抗を抑えることができ、送風手段の出力を抑えることで低騒音化を実現することができる。
【００２１】
また、シャッター機構に近接したシャッター駆動部に対しシャッター機構を冷却するファンの吸気する空気で冷却することで、シャッター駆動部を冷却する手段を新規で設ける必要がないためコストを低減することができる。
【００２２】
また、シャッター機構が閉じている場合には投射レンズからの光は出射されないため光源の出力を抑えることでシャッター機構や光学素子が高温になることを防ぐことで長寿命化を実現することができる。
【００２３】
また、導風形状とシャッター機構を一体的に構成することで新たに部品を設ける必要がなく部品コストを抑えることができる。
【００２４】
また、シロッコファンを用いることで、部品の密集するような場所に対しても高静圧で空気を送風できるため、より確実に被冷却対象に空気を送風することができる。また、導風手段の一部を光源への冷却風に併用することで、筐体内で最も高温になる光源部分への冷却を補佐することで筐体内の複数のファンの負荷を分散することでファンの長寿命化を実現することができる。
【図面の簡単な説明】
【００２５】
【図１】本発明の実施形態１における投写型表示装置の上面図
【図２】本発明の実施形態１における投写型表示装置の光学構成図
【図３】本発明の実施形態１における冷却構成を示した上面図
【図４】本発明の実施形態１におけるシャッター機構開口時の偏光変換素子周辺の冷却構成を示した断面図
【図５】本発明の実施形態１におけるシャッター機構閉口時の偏光変換素子周辺の冷却構成を示した断面図
【図６】本発明の実施形態２におけるシャッター機構開口時の偏光変換素子周辺の冷却構成を示した断面図
【発明を実施するための形態】
【００２６】
以下に、本発明の好ましい実施の形態を、添付の図面に基づいて詳細に説明する。
【００２７】
［実施例１］
以下、図１から図７を参照して、本発明の第1の実施例による、投写型表示装置（投写表示装置）について説明する。
【００２８】
（全体構成）
図１において、１は光源であるランプ、２は不図示の複数のバネ部材にてランプ１および後述する防爆凸レンズ３を保持するランプホルダ、３はランプ１からの光を集光する機能を備えた防爆凸レンズ、４はランプ１およびランプホルダ２および防爆凸レンズ３および不図示の複数の部材によって構成されるランプユニット、αはランプ１からの光を入射する照明光学系、βは照明光学系からの出射光を入射するＲ・Ｇ・Ｂの３色用の液晶パネルを備えた色分離合成光学系である。
【００２９】
５は色分離合成光学系βからの出射光を入射して図示せぬスクリーン（被投射面）に画像を投射する投射レンズユニットであり、投射レンズユニット５内には後述する投射レンズ光学系を収納している。６はランプユニット４、照明光学系α、色分離合成光学系βを収納するとともに投射レンズユニット５が固定される光学ボックスである。７は光学ボックス６内に照明光学系α、色分離合成光学系βを収納した状態で蓋をする不図示の光学ボックス蓋である。８は電源であり、電源８には不図示のＡＣインレットを有し後述する外装キャビネット１７に組み込まれ電源８に電気的に接続され筺体内に電源が供給される。９はバラストであり、ランプ１を点灯するための点灯電源装置。バラスト９は電源８およびランプ１と電気的に接続される。
【００３０】
１０は後述する外装キャビネット１８に設けられた吸気口１８ａから外気を吸入した空気の排気にて色分離合成系βの光学素子を冷却する光学冷却ファンＡである。１１は後述する外装キャビネット１８に設けられた吸気口１８ａから外気を吸入した空気の排気にて色分離合成系βの光学素子を冷却する光学冷却ファンＢである。１２は光学冷却ファンＡ１０と光学冷却ファンＢ１１を保持し、後述する吸気口１８ａから外気を吸入し、光学冷却ファンＡ１０と光学冷却ファンＢ１１の吸気口に導風する光学冷却ファン吸気ダクトである。１３は後述する不図示の外装キャビネット蓋１９に保持され光学冷却ファンＡ１０と光学冷却ファンＢ１１から排気された空気を色分離合成系βに導風する光学冷却ファン排気ダクトである。１４は排気ファンであり、排気ファン１４の吸気する空気によって電源８、バラスト９を冷却し、排気によってランプ１およびその周辺を冷却し後述する排気口１８ｂより筐体外へ排熱する。
【００３１】
１５は排気ファン１４を保持する排気ファンホルダである。１６はランプ冷却ファンであり、ランプ冷却ファン１６は色分離合成系βの光学素子を冷却した空気を吸気し、排気によってランプ１を冷却する。１７はランプ冷却ファン１６から排気された空気を導風するランプ冷却ダクトである。１８は外装キャビネット（外装ケース下部）であり、筐体内に外気を取り込む前面吸気口Ａ１８ａと側面吸気口１８ｃおよび筐体外に排熱する排気口１８ｂを備える。
【００３２】
１９は光学冷却ファン排気ダクト１３を保持し、外装キャビネット１８と組み付き筐体全体を覆う不図示の外装キャビネット蓋（外装ケース上部）である。２０は吸気口１８ａに近接して取り付き筐体内へ外気を吸入する際に筐体内に塵埃が入ることを抑制するエアフィルタである。２１は画像・制御等の各種信号を取り込むコネクタ（インターフェース）が搭載され、前述した電源８からの電力により液晶パネルの駆動、及びランプ１への点灯指令、複数のファンへの駆動指令を送ることを主とする駆動・制御基板ユニットである。駆動・制御基板ユニット２１は色分離合成光学系βに配置される液晶パネルから出るＦＰＣが接続される。更に駆動・制御基板ユニット２１は不図示の板金部材によって保持され、外装キャビネット１８に固定される。
【００３３】
２２は側面吸気口１８ｃから吸気し、排気によって後述する偏光変換素子４５を冷却する偏光変換素子冷却ファン。また、偏光変換素子冷却ファン２２はシロッコファンである。２３は偏光変換素子冷却ファン２２から排気された空気を導風する偏光変換素子冷却ダクトである。５９は偏光変換素子４５に近接して設けられランプ１から出射された光を調光および遮光するシャッター機構である。６０はシャッター機構５９を駆動するシャッター駆動部である。
【００３４】
（光学構成）
次に、前述した光源ランプ１、照明光学系α、色分離合成光学系β、投射レンズユニット５にて構成される反射型液晶表示素子（反射型液晶パネル等の画像形成素子）を搭載した投射型画像表示装置の光学構成について図２にて説明する。
【００３５】
図２において４１は連続スペクトルで白色光を発光する発光管。４２は発光管４１からの光を所定の方向に集光するリフレクタであり、発光管４１とリフレクタ４２により光源ランプ１を形成する。
【００３６】
３は前述の通り光源ランプ１からの光を集光する機能を備えた防爆凸レンズである。４３はフライアイレンズＡである。４４はフライアイレンズＢで、フライアイレンズＡ４３と共に光源ランプ１からの光を複数の光束に分割する光束分割手段である。
４５はランプ１からの方向性の無い光（無偏光光）を所定の偏光光に変換する偏光変換機能を備えた偏光変換素子である。４６は光軸を変換するための全反射ミラーである。４７ａはコンデンサーレンズＡ、４７ｂはコンデンサーレンズＢで前述のフライアイレンズＡ４３ａと、フライアイレンズＢ４３ｂにて分割された複数の光束を反射型表示素子に重ねて照明するための集光手段である。
【００３７】
以上により照明光学系αが構成される。４８は青色（Ｂ）と赤色（Ｒ）の波長領域の光を反射し、緑色（Ｇ）の波長領域の光を透過するダイクロイックミラーである。４９はトリミングフィルタでＲの色純度を高めるためにＲ帯域の光の使用する波長域を制限する手段である。５０はワイヤーグリッド偏光板で反射型の偏光選択手段である。５１はカラーセレクトで所定の波長域の光の偏光方向を変換する波長選択性位相板である。５２は偏光分離面を有する第1の偏光ビームスプリッタである。５３は偏光分離面を有する第２の偏光ビームスプリッタである。５４は青色（Ｂ）と緑色（Ｇ）に対してはダイクロイック作用し、赤色（Ｒ）については偏光ビームスプリッタと同等に作用する合成プリズムである。５５は青色（Ｂ）用の偏光選択手段である青色用偏光板である。５６は緑色（Ｇ）用の偏光選択手段である緑色用偏光板である。５７Ｒ、５７Ｇ、５７Ｂはそれぞれ、Ｒ用１／４波長板、Ｇ用１／４波長板、Ｂ用１／４波長板である。
【００３８】
５８Ｒ、５８Ｇ、５８Ｂはそれぞれ、入射した光を反射するとともに画像変調するＲ用反射型液晶表示素子、Ｇ用反射型液晶表示素子、Ｂ用反射型液晶表示素子である。
【００３９】
以上のダイクロイックミラー４８から５８Ｒ、５８Ｇ、５８Ｂの各色の反射型液晶表示素子によって色分離合成光学系βが構成される。
【００４０】
（冷却構成）
次に本実施例の投写型表示装置における冷却構成について図３および図４を用いて説明する。本投写型表示装置は前述の通り、冷却および排熱用のファンを５つ備える。５つの冷却および排熱用ファンにて３つの風路を構成し図３に風路Ａ、風路Ｂ、風路Ｃとして矢印にて表している。
【００４１】
図３にて実線の矢印で表す風路Ａについて説明する。
【００４２】
光学冷却ファンＡ１０および光学冷却ファンＢ１１およびランプ冷却ファン１６の回転によって筐体外の空気が吸気口１８ａからエアフィルタ２０を通り筐体内へ流入する。ここでまず光学冷却ファンＡ１０および光学冷却ファンＢ１１の回転による空気の流れについて説明する。エアフィルタ２０を通って筐体内に流入した空気は光学冷却ファン吸気ダクト１２を通って光学冷却ファンＡ１０および光学冷却ファンＢ１１に吸気される。光学冷却ファンＡ１０および光学冷却ファンＢ１１からそれぞれ排気された空気は光学冷却ファン排気ダクト１３にて合流し、色分離合成系βに向かって流れ、色分離合成系βの各部光学素子や各色の反射型液晶表示素子を冷却する。色分離合成系を冷却した空気はランプ冷却ファン１６へ流れる。
【００４３】
次にランプ冷却ファン１６の回転による空気の流れについて説明する。ランプ冷却ファン１６は前述の光学冷却ファンＡ１０および光学冷却ファンＢ１１から排気され色分離合成系βの光学素子を冷却した空気を吸気する。ランプ冷却ファン１６が排出した空気はランプ冷却ダクト１７を通り、ランプ１に向かって流れる。ランプ１に向かって流れた空気はランプホルダ２に設けられた不図示の開口により、ランプ１およびランプホルダ２および防爆凸レンズ３にて形成された空間に流入し、ランプ１の発光管４１を冷却する。発光管４１を冷却した空気はランプホルダ２に設けられた不図示の開口にてランプユニット４から排出される。ランプユニット４から排出された空気は後述する排気ファン１４の風路に流れ込む。
【００４４】
次に図３にて破線の矢印で表す風路Ｂについて説明する。
【００４５】
排気ファン１４の回転によって筐体外の空気が吸気口１８ａからエアフィルタ２０を通り筐体内へ流入する。エアフィルタ２０を通って筐体内に流入した空気は電源８およびバラスト９を冷却した後に排気ファン１４に吸気される。排気ファン１４から排気された空気はランプユニット４全体を冷却し、ランプ１および後述する偏光変換素子４５を冷却した空気と共に排気口１８ｂより筐体外へ排気される。
【００４６】
次に１点鎖線の矢印で表す風路Ｃについて説明する。
【００４７】
偏光変換素子冷却ファン２２の回転によって、筐体外の空気が外装キャビネット１８に設けられた側面吸気口１８ｃを通り筐体内へ流入する。偏光変換素子冷却ファン２２の吸気口近傍にはシャッター駆動部６０が配される。側面吸気口１８ｃから筐体内に流入した空気はシャッター駆動部６０に沿うように流れ偏光変換素子冷却ファン２２に吸気される。この時シャッター駆動部６０を冷却する。
【００４８】
偏光変換素子冷却ファン２２から排気された空気は偏光変換素子冷却ダクト２３を通り、偏光変換素子４５を冷却する。偏光変換素子４５を冷却した空気は前述した風路Ａ，Ｂと同じく排気口１８ｂより筐体外へ排気される。
【００４９】
以上のような構成において次に本発明について図4および図５に沿って偏光変換素子に近接するシャッター機構を利用し効率よく偏光変換素子を冷却する構成について説明していく。
【００５０】
図４は風路Ｃについてシャッター機構５９の開口時の流路を詳細に示した断面図である。
【００５１】
図４について、風路Ｃの流路構成の詳細を説明する。前述のとおり偏光変換素子冷却ファン２２の回転によって、筐体該の空気が外装キャビネット１８に設けられた側面吸気口１８ｃを通り筐体内へ流入する。偏光変換素子冷却ファン２２の吸気口近傍にはシャッター駆動部６０が配される。側面吸気口１８ｃから筐体内に流入した空気はシャッター駆動部６０に沿うように流れ偏光変換素子冷却ファン２２に吸気される。この時シャッター駆動部６０を冷却する。偏光変換素子冷却ファン２２から排気された空気は偏光変換素子冷却ダクト２３を通り、偏光変換素子４５へ向かう。偏光変換素子冷却ダクト２３の流路内にはシャッター機構５９に一体的に形成された導風部５９ａを備える。導風部５９ａは偏光変換素子冷却ファン２２から排気された空気を偏光変換素子４５へ向かうよう導風するために所定の角度を備える。
【００５２】
本実施例では導風部５９ａを通る前後で風向を４５°変換する構造としている。偏光変換素子冷却ファン２２から排気された空気は偏光変換素子冷却ダクト２３の流路内で導風部５９ａを通る。その後、シャッター機構５９の開口部から偏光変換素子４５へ向かう実線示す流路（第１の流路）Ｃ１とそれ以外の破線で示す流路（第２の流路）Ｃ２に分かれる。流路Ｃ１は導風部５９ａを通ることで風向を偏光変換素子４５へ変換し、シャッター機構５９の開口を通って偏光変換素子４５へ空気を流し偏光変換素子４５を冷却する。流路Ｃ２は偏光変換素子冷却ダクト２３と流路Ｃ１とは反対面の導風部５９ａによって構築される流路を通り、偏光変換素子冷却ダクト２３を流れ風向変え偏光変換素子４５に沿うように流れ偏光変換素子４５を冷却する。流路Ｃ１と流路Ｃ２の空気は偏光変換素子４５を冷却する際に合成され偏光変換素子４５の上方に設けられた開口から排気され図３に示す通り排気ファン１４の流路（風路Ｂ）に流れ込み、排気口１８ｂより筐体外へ排気される。流路Ｃ１と流路Ｃ２共に上向きの風向成分を備えるため偏光変換素子４５の上方に設けられた開口にスムーズに流れると共に、流路Ｃ２のみしか無い場合の構成と比べてシャッター機構５９の開口から空気が逃げる可能性が無いことは容易に想像がつく。
【００５３】
図５は風路Ｃについてシャッター機構５９が十分に閉じている閉口時の流路を詳細に示した断面図である。
【００５４】
図５について風路Ｃの流路構成の詳細を説明する。
【００５５】
偏光変換素子冷却ファン２２の吸気構造はシャッター機構５９の開口時と同一のため説明は割愛する。偏光変換素子冷却ファン２２から排気された空気は偏光変換素子冷却ダクト２３を通り、偏光変換素子４５へ向かう。シャッター機構５９の開口時にあった偏光変換素子冷却ダクト２３の流路内の導風部５９ａはシャッター機構５９の閉口動作に連動して流路外に移動している。偏光変換素子冷却ファン２２から排気された空気は偏光変換素子冷却ダクト２３の流路内において図４で示した流路（第１の流路）Ｃ１は無くなり流路（第２の流路）Ｃ２のみとなる。
【００５６】
流路（第２の流路）Ｃ２は偏光変換素子冷却ダクト２３で流れ風向変え偏光変換素子４５に沿うように流れ偏光変換素子４５を冷却する。偏光変換素子４５を冷却した空気は偏光変換素子４５の上方に設けられた開口から排気され図３に示す通り排気ファン１４の流路（風路Ｂ）に流れ込み、排気口１８ｂより筐体外へ排気される。流路Ｃ２は上向きの風向成分を備えるため偏光変換素子４５の上方に設けられた開口にスムーズに流れると共に、シャッター機構５９が十分に閉口しているためシャッター機構５９の開口から空気が逃げる可能性が無いことは容易に想像がつく。尚、シャッター機構５９が十分に閉じている状態では投影が行われないためランプ１の出力を可変できる場合は小さくしても良い。
【００５７】
また、ランプ１からの光を調光するような場合、つまり少しでもシャッター機構５９に開口がある場合には導風部５９ａの一部が偏光変換素子冷却ダクト２３の流路内に配置されるため図４に示す効果と同等の効果を得ることができる。
【００５８】
このような冷却構成を設けることで、光学素子が高温となる点灯中においてシャッター機構５９の開口部から偏光変換素子４５に向かって明確な流路を備えることができる。さらに、偏光変換素子４５に確実に空気が流れ効率良く冷却することができ低騒音かつ長寿命化を実現することができる。
【００５９】
また、シャッター機構５９が閉じている場合には開口部から送風していた空気をシャッター機構５９と偏光変換素子４５の間に送風することで閉口時でも偏光変換素子４５を効率よく冷却することができ低騒音かつ長寿命化を実現することができる。
また、導風部５９ａの角度を偏光変換素子４５に対して平行或いは垂直以外の所定の角度を備えることで、送風方向を変換する際に発生する流路抵抗を抑えることができ、送風手段の出力を抑えることで低騒音化を実現することができる。
【００６０】
また、シャッター機構５９に近接したシャッター駆動部６０に対しシャッター機構５９を冷却する偏光変換素子ファン２２の吸気する空気で冷却することができる。つまりシャッター駆動部６０を冷却する手段を新規で設ける必要がないためコストを低減することができる。
【００６１】
また、シャッター機構５９が閉じている場合には投射レンズユニット５からの光は出射されないためランプ１の出力を抑えることでシャッター機構５９や偏光変換素子４５が高温になることを防ぐことで長寿命化を実現することができる。
また、導風部５９ａとシャッター機構５９を一体的に構成することで新たに部品を設ける必要がなく部品コストを抑えることができる。
【００６２】
また、偏光変換素子４５を冷却するファンにシロッコファンを用いることで、部品の密集するような場所に対しても高静圧で空気を送風できるため、より確実に被冷却対象に空気を送風することができる。
【００６３】
また、偏光変換素子冷却ダクト２３の一部をランプ１への冷却風に併用することで、筐体内で最も高温になる光源部分への冷却を補佐することで筐体内の複数のファンの負荷を分散することでファンの長寿命化を実現することができる。
【００６４】
［実施例２］
以下、図６を用いて、本発明の第２の実施例による、投写型表示装置（投写表示装置）について説明する。
【００６５】
図６は本実施例での風路Ｃについてシャッター機構５９の開口時の流路を詳細に示した断面図である。偏光変換素子冷却ファン２２から排出された空気は偏光変換素子冷却ダクト２３にて実線で示す流路（第１の流路）Ｃ１と破線で示す流路（第２の流路）Ｃ２と１点鎖線で示す流路Ｃ３に分けられる。流路（第１の流路）Ｃ１と流路（第２の流路）Ｃ２は実施例１の図４と同一であるため説明は割愛する。流路（第３の流路）Ｃ３は偏光変換素子冷却ダクト２３を通りランプ１に導風される。ランプ１に向かって流れた空気はランプホルダ２に設けられた不図示の開口により、ランプ１およびランプホルダ２および防爆凸レンズ３にて形成された空間に流入し、ランプ１の発光管４１を冷却する。発光管４１を冷却した空気はランプホルダ２に設けられた不図示の開口にてランプユニット４から排出される。ランプユニット４から排出された空気は排気ファン１４の風路に流れ込み風路Ａと合成され排気される。このような構成にすることでランプ冷却ファン１６の出力と偏光変換素子冷却ファン２２の出力のバランスを調節することができる。
【００６６】
このような冷却構成を設けることで、偏光変換素子冷却ファン２２から排気される空気一部をランプ１への冷却風に併用することで、筐体内で最も高温になる光源部分への冷却を補佐することができる。つまり、筐体内に配される複数のファンの負荷を分散することでファンの長寿命化を実現することができる。
【００６７】
以上、本発明の好ましい実施形態について説明したが、本発明はこれらの実施形態に限定されず、その要旨の範囲内で種々の変形及び変更が可能である。
【符号の説明】
【００６８】
１            ランプ
２            ランプホルダ
３            防爆凸レンズ
４            ランプユニット
５            投射レンズユニット
６            光学ボックス
７            光学ボックス蓋
８            電源
９            バラスト
１０          光学冷却ファンＡ
１１          光学冷却ファンB
１２          光学冷却ファン吸気ダクト
１３          光学冷却ファン排気ダクト
１４          排気ファン
１５          排気ファンホルダ
１６          ランプ冷却ファン
１７          ランプ冷却ダクト
１８          外装キャビネット
１８ａ        前面吸気口Ａ
１８ｂ        排気口
１８ｃ        側面吸気口
１９          外装キャビネット蓋
２０          エアフィルタ
２１          駆動・制御基板ユニット
２２          偏光変換素子冷却ファン
２３          偏光変換素子冷却ダクト
４１          ランプ発光管（光源）
４２          リフレクタ
４３          フライアイＡ
４４          フライアイＢ
４５          偏光変換素子
４６          全反射ミラー
４７ａ        コンデンサーレンズＡ
４７ｂ        コンデンサーレンズＢ
４８          ダイクロイックミラー
４９          トリミングフィルタ
５０          ワイヤーグリッド偏光板
５１          カラーセレクト
５２          第１の偏光ビームスプリッタ
５３          第２の偏光ビームスプリッタ
５４          合成プリズム
５５          青色用偏光板
５６          緑色用偏光板
５７Ｒ        Ｒ用１／４波長板
５７Ｇ        Ｇ用１／４波長板
５７Ｂ        Ｂ用１／４波長板
５８Ｒ        Ｒ用反射型液晶表示素子
５８Ｇ        Ｇ用反射型液晶表示素子
５８Ｂ        Ｂ用反射型液晶表示素子
５９          シャッター機構
５９ａ        導風部
６０          シャッター駆動部
α            照明光学系
β            色分離合成光学系
Ｃ１          第１の流路
Ｃ２          第２の流路
Ｃ３          第３の流路
【図１】
2014202870.tif 000003
【図２】
2014202870.tif 000004
【図３】
2014202870.tif 000005
【図４】
2014202870.tif 000006
【図５】
2014202870.tif 000007
【図６】
2014202870.tif 000008